(57)【要約】【課題】競技等観戦中に、風船玩具に空気を充満しておきながら直ちに飛ばすことができない場合に、手で握りしめているか、結節を作る等して待たなければならない。また、数個作り、飛ばすチャンスが来ると、素早く飛ばせる風船ホルダーが要請されていた。【解決手段】風船ホルダー１は、本体部２と口環押圧部３と口環掛用軸棒部４とからなり、本体部２と口環押圧部３との間を、係止具５の係止鉤７により掛け止めされ、必要に応じて係止具押釦６を押すと、弾性体９により解き放され、口環２２と風船玩具２３が飛び出すもの。本体部２には、電装装置１２及びマスコット１１を装着し、気体注入装置２５が付設でき、また、好みに応じてマスコット等は交換できるようになっている。口環押圧部３には、係止鉤掛溝８と口環押圧部脱落防止板１８と摺動安定板２０を設けている。口環掛用軸棒部４は、本体軸棒部１０に接合され、口環２２及び風船玩具２３を着脱する。【選択図】図３
2006006906.tif 000002
【特許請求の範囲】
【請求項１】
口環を填め込み気体を充満した風船玩具を一時的に留め置く装置であって、本体部と口環押圧部と口環掛用軸棒部とからなり、前記本体部と前記口環押圧部との間には弾性体及び係止具を設置し、前記本体部には電装装置を填め込み、本体軸棒部の先端に本体部脱落防止板と本体側軸棒取付部を設置し、前記本体部にはマスコット及び空気注入装置を付設でき、前記口環押圧部には、係止鉤掛溝と口環押圧部脱落防止板と摺動安定板とが設置され、前記口環掛用軸棒部には、前記本体軸棒部に接合する軸棒側取付部を設け、先端に向け僅か宛細くなっていることを特徴とする風船ホルダー。
【請求項２】
前記本体部と前記口環押圧部との間には、前記弾性体と前記係止具及び係止鉤と前記係止鉤掛溝とにより掛け止めされていることを特徴とする請求項１の風船ホルダー。
【請求項３】
前記口環掛用軸棒部の軸棒側取付部が前記本体軸棒部の本体側軸棒取付部に接合されていることを特徴とする請求項１の風船ホルダー。
【請求項４】
前記口環掛用軸棒部が先端に向け僅か宛細くなっていることを特徴とする請求項１又は請求項３の風船ホルダー。
【請求項５】
前記本体軸棒部には本体部脱落防止板が、前記口環押圧部には口環押圧部脱落防止板が設置されていることを特徴とする請求項１の風船ホルダー。
【請求項６】
前記本体部に電装装置を填め込まれていることを特徴とする請求項１の風船ホルダー。
【請求項７】
前記本体部に前記マスコットを付設し、該マスコットが別のマスコットと交換できることを特徴とする請求項１の風船ホルダー。
【請求項８】
前記本体部に前記気体注入装置を接続し、前記口環掛用軸棒部に口環及び風船玩具を接続できることを特徴とする請求項１の風船ホルダー。
【発明の詳細な説明】
【技術分野】
【０００１】  本発明は、競技場や催し物会場等において、気体を充満した風船玩具を握りしめることなく、いつでも飛ばしたいときに飛ばすことができ、安価で、手軽で、キーホルダーとしても使用でき、心身に疲労を感じさせない風船ホルダーに関する。
【背景技術】
【０００２】  従来、催し物会場等において、風船玩具を空気中に飛ばすには、空気よりも軽いガスを注入したり、競技場等においては、風船玩具に空気を吹き込み、各自の応援するチームが優位に立つチャンスを待ち、風船玩具の口の部分をしっかりと握り、チャンス到来を待つか、チャンスが来たと慌てゝ風船玩具に空気を入れる風景を見受ける。これらに類似するものを次にあげると、うちわを大腿部の上に置き、飲食物等を載せて風船玩具を飛ばす公知技術のものに「特許文献１」があり、風船玩具の空気注入口に容易に挿入可能な公知技術のものに「特許文献２」があり、膨らまし玩具等の空気入れとして公知技術のものに「実用文献３」があり、熱源を改良するとともに、熱風船上げの形態を変えるものとして公知技術のものに「実用文献４」があり、空気を注入して膨らませた後、手放すことにより空気の噴出する勢いで垂直に上昇せしめるように使用するものとして公知技術のものに「意匠文献５」がある。
【特許文献１】特願２００１−２４３６７７号
【特許文献２】特願平９−１５７２９７号
【実用文献３】
実願平４−７０６８３号
【実用文献４】
実願２０００−１１５９号
【意匠文献５】
意願昭５８−９３０９号
【発明の開示】
【発明が解決しようとする課題】
【０００３】  特願２００１−２４３６７７号は、うちわの上に飲食物を置くことにより、野球場等の観戦において風船玩具を空気中に飛ばすことができるというのであり、風船玩具を飛ばすためのものではない。特願平９−１５７２９７号は、風船玩具に気体を入れる際に、気体注入器の注入口を容易に注入できるよう開口するものであり、飛ばすためではあるが、それ以前に空気を入れる手段である。実願平４−７０６８３号は、空気を入れる手段で、即ち、空気入れであり、風船玩具を飛ばす手段ではない。実願２０００−１１５９号は、風船玩具を上げる手段ではあるが、風船玩具自体の内部に熱を加え、いわゆる熱気球であり風船玩具に力を加えて飛ばす手段ではない。意願昭５８−９３０９号は、風船玩具そのものであり、本願の風船ホルダーの働きには必要欠くべからずの公知技術ではあるが、本願とは趣旨が異なるものである。前述の如く風船玩具を空気中に飛ばすことについては、それぞれ関連があるものの、風船玩具に気体あるいは空気を充満し一時休めておいて、後に飛ばしたいときに飛ばす、という要請に応える技術は見当たらない。【０００４】  競技場や催物会場等において、軽い気体あるいは空気等を風船玩具に注入し飛ばそうとするとき、風船玩具の口の部分をしっかりと握っているか、結節を作って糸、又は、針金等で人体あるいは家具又は建造物に固定したりして保持していた。特に、競技場等においてジェット風船と呼ばれている風船玩具に空気を入れて飛ばそうとするとき、手で握っているのが一般的であるが、手で握っていなくても一時的に留め置くことができるものがないものかという要請が多かった。しかし、電磁石や永久磁石等を使用することには、近年、鞄、あるいは、身の回りに携帯電話等の電気製品が存在するため、磁石を使用することに躊躇するものがあり、また、女性は鞄等に収納するということもあり、できるだけ短く納まるようにして欲しい、また、使い捨てではなく何度でも使用できるもの、身に付けて携帯することができるものに、応急用のライトとして、あるいは、競技チーム等を応援するファンの好むマスコットも付設して欲しい等が要請されていた。【０００５】  本発明は、以上の要請に鑑みて発明されたものであり、簡便、安価に実施され、軽量で身の回りにも付けられ、手の疲労を解消し、競技や催し物等に楽しく参加できる玩具であり、軽便な風船飛ばしと、落とし物や鍵穴探し等のライトとし、また、マスコットを携帯することにより、より楽しめる風船ホルダーを提供することを目的としている。
【課題を解決するための手段】
【０００６】  本発明は、以上の目的を達成するために、口環を填め込み気体を充満した風船玩具を一時的に留め置く装置であって、本体部と口環押圧部と口環掛用軸棒部とからなり、前記本体部と前記口環押圧部との間には弾性体及び係止具を設置し、前記本体部には電装装置を填め込み、本体軸棒部の先端に本体部脱落防止板と本体側軸棒取付部を設置し、前記本体部にはマスコット及び空気注入装置を付設でき、前記口環押圧部には、係止鉤掛溝と口環押圧部脱落防止板と摺動安定板とが設置され、前記口環掛用軸棒部には、前記本体軸棒部に接合する軸棒側取付部を設け、先端に向け僅か宛細くなっていることを特徴とする。本体部の本体軸棒部に覆い被さるように填め込まれている口環押圧部を手元に引くことにより、本体部側に固着されている係止具の係止鉤が口環押圧部の係止鉤掛溝に掛かり、本体部と口環押圧部とが一体のような形となる。そこで、本体軸棒部の先端に口環掛用軸棒部が固定された状態にしておき、口環掛用軸棒部に、気体を充満した風船玩具に填め込まれた口環をやゝ強く掛けでおき、係止具押釦を押すことにより、口環押圧部は本体部から離れて口環を打つため、口環（笛ともいう）は風船玩具と共に外部に押し出され、空気を吐き出す噴出力と共に力を増して飛び出すというものである。弾性体を多少強いものにしていることから、係止具押釦を強く押す必要があり、指で強く押すことができるよう左右２個としている。【０００７】  また、請求項２の発明は、前記本体部と前記口環押圧部との間には、前記弾性体と前記係止具及び係止鉤と前記係止鉤掛溝とにより掛け止めされていることを特徴とする。口環掛用軸棒部に係止されている風船玩具と口環は、口環押圧部により強く打たなければ口環掛用軸棒部から抜け出すことはできないことから、やゝ強めのコイルバネまたは、空気圧縮バネ等を用いてバネの弾力を蓄え、その圧力を係止具の係止鉤を係止鉤掛溝に掛けておかなければならない。また、本体部と口環押圧部との回転角度がどの位置にあっても、係止鉤掛溝と係止鉤とが掛け止めできるように、凹状の係止鉤掛溝を口環押圧部の内面に環状の溝として一周している。【０００８】  また、請求項３の発明は、前記口環掛用軸棒部の軸棒側取付部が前記本体軸棒部の本体側軸棒取付部に接合されてることを特徴とする。本体軸棒部を延長し軸棒を１本として、若干長めにしておくことで目的を達することもでき得るが、口環は、製品により内径が異なることと、照明の通りをよくすること、あるいは、気体注入装置により空気等を注入する際は、内部が空洞でなければならないこともあり、内部が空洞ではいけない場合と、内部が空洞の方がよい場合もあり、用途に応じて交換できるようにしておくことも必要で、交換の多い場合はネジで結合できるようにしておくのがよい。【０００９】  また、請求項４の発明は、前記口環掛用軸棒部が先端に向け僅か宛細くなっていることを特徴とする。前述の如く口環は、玩具メーカーの先行技術であり、メーカー、あるいは、製造過程により内径に多少の変化があるため、製品の内径に合わせて口環掛用軸棒部を交換するのみではなく、口環掛用軸棒部を先端に向かって細くし、口環の内径の微妙な変化に対応できることゝ、口環が���良いところでしっかりと止まることができるためには、先端に向け僅か宛細くなっていることが重要である。また、口環押圧部により衝撃を受けた際に飛び出し際に飛び出し易いことをも狙っているものである。また、口環掛用軸棒部は棒状になったものと、管状になったものがあり、管状は、気体を通し光を通し易く、棒状は、光は通すが、気体を通さないことに固持する。【００１０】  また、請求項５の発明は、前記本体軸棒部には本体部脱落防止板が、前記口環押圧部には口環押圧部脱落防止板が設置されていることを特徴とする。本体部脱落防止板は、口環押圧部脱落防止板と相俟って脱落を防止するのみではなく、摺動安定板との間に弾性体を保持し、口環押圧部の安定した摺動を得るものである。【００１１】  また、請求項６の発明は、前記本体部に電装装置を填め込まれていることを特徴とする。電装装置は、本体部の内部に固定するのも一方法であるが、電装装置を抜き出すことができるようにしておくことにより、照明具部分を口環掛用軸棒部側に差し込み、小型ライトとして使用したり、あるいは、マスコット側を照らしてマスコットの顔等を点滅させたりする。【００１２】  また、請求項７の発明は、前記本体部に前記マスコットを付設し、該マスコットが別のマスコットと交換できることを特徴とする。本体部の一部にマスコットを付設できる箇所を設置しておき、マスコットを取り付けたり、取り外したりできるようにしておくもので、後述の気体注入装置を取り付ける際にも便利である。【００１３】  また、請求項８の発明は、前記本体部に前記気体注入装置を接続し、前記口環掛用軸棒部に口環及び風船玩具を接続できることを特徴とする。家庭においては、幼児等が風船玩具に口で空気を入れることが難しい場合もあり、気体注入装置を使用する必要性もある。そこで、そのまゝ飛ばしたいときには、本体部からマスコットと電装装置を抜き出し、気体注入装置に接続し、空気を入れ風船玩具に空気が充満すると、係止具押釦を押し風船玩具が空中に飛び上がらせるというものである。
【発明の効果】
【００１４】  １）本発明の請求項１の風船ホルダーによれば、本体軸棒部に係止されている口環押圧部を本体部側の手元に引くことにより、本体部側に固着されている係止具の係止鉤が口環押圧部の係止鉤掛溝に掛かり、本体部と口環押圧部とが一体のような形となる。そこで、本体部軸棒の先端に口環掛用軸棒部を結合させた状態にしておき、口環掛用軸棒部に風船玩具に気体を充満し、填め込まれた口環をやゝ強く押し込んでおき、係止具押釦を押すと、口環押圧部は、強く本体部から離れようとして口環を打つため、口環は風船玩具と共に空気を吐き出しながら空中に飛び出すのである。このようなことが可能になることにより、風船玩具に気体を充満したものを幾つも作っておき、次から次と飛ばすことができるのである。【００１５】  ２）本発明の請求項２の風船ホルダーによれば、弾性体をコイルバネあるいは、空気バネ等の力を利用し、係止鉤が係止鉤掛溝にしっかりと掛けておき、係止具押釦を押すと、ワンタッチで口環を打つことができるため、軽量にして狭い空間での構成ではありながらも、片手で風船玩具を飛ばすという目的を達することができる。【００１６】  ３）本発明の請求項３の風船ホルダーによれば、本体軸棒部を延長し１本にすることにより簡素化が可能であるが、各種の口環、あるいは、口環に相当するものを飛ばそうとするときに、口環の内径が異なる場合もあり得るため、口環掛用軸棒部を交換できるようしておくことが利用者のためであり、また、気体注入装置を使用する場合は、口環掛用軸棒部を管状にしておく必要があり、本体側軸棒取付部と軸棒側取付部をそれぞれネジ込みにより接続する等して、口環掛用軸棒部を管状にしたものと、棒状にしたものを備えておき、双方を交換して使用できるようにしておくと便利である。【００１７】  ４）本発明の請求項４の風船ホルダーによれば、口環掛用軸棒部が先端に向かって細くなっていることが口環と風船玩具をスムーズに飛ばすことに大いに役立つもので、口環に口環掛用軸棒部を差し込む場合に、容易に抜け落ちたり、堅すぎても目的を達しないこともあり、非常にデリケートであるが、先端に向かって細くなっていることが、風船玩具を旨く飛ばす要どころといえる。【００１８】  ５）本発明の請求項５の風船ホルダーによれば、本体部脱落防止板は、本体軸棒部から口環押圧部の脱落を防止すると共に、摺動安定板と共に弾性体をスムーズに摺動させるものであり、本体部脱落防止板と弾性体と摺動安定板の三装置の関連により、安定した口環押圧部の円滑な動きを担っている。【００１９】  ６）本発明の請求項６の風船ホルダーによれば、電装装置を抜き出すようになっていることにより、小型ライトの役目をすることができると共に、抜き出して反対方向に差し込むことにより、マスコットの顔を赤く照らしたり青く点滅したりできるため、ファンを喜ばせたり、楽しむことができ、また、気体注入装置の接続も可能になる。【００２０】  ７）本発明の請求項７の風船ホルダーによれば、本体部の一部に、マスコットを付置することができるようにして置くことにより、ファンを喜ばせることができるもので、各競技場等において、風船玩具を膨らませて飛ばそうとするような人は、どこのチームかの熱烈な���ァンでもある場合が多い、そのような人達には、チームのトレードマークを喜んで身に付けたりすることもあり、愛玩物を付しておくことにより、競技及び行事等に参加の意識を高めることができる。【００２１】  ８）本発明の請求項８の風船ホルダーによれば、風船ホルダーで風船玩具を飛ばしたいが、風船玩具に空気を入れる力がないような幼児や障害者に対しては、電装装置、または、マスコットを抜き取り、気体注入装置に接続し、空気等を注入した後に、そのまゝ係止具押釦を押すことにより、力の弱い人でも風船玩具を飛ばすことができる。【００２２】  球団や芸能人又は組織に対して、熱烈なフアンがいるものであるが、そのような人達は、チームや組織等のトレードマークを身に付けることを好むものであり、日常持ち歩くであろう本風船ボルダーにも愛玩物を付しておくことによリ競技あるいは参加行事に対する意識も向上するものといえる。
【発明を実施するための最良の形態】
【００２３】  本発明は、競技場や催物会場等において使用するもので、特に、風船玩具に空気を入れて飛ばす際に、空気を入れたまゝ風船玩具の口に結節を作ることなく留めおくもので、本体部に設置されている係止具押釦を押すことにより、口環押圧部が風船玩具を付している口環を打ち、口環は、風船玩具と共に勢い良く舞い上げることができる風船ホルダーである。
【実施例】
【００２４】  以下、本発明の風船ホルダー１の実施例を図面を参照して詳述する。図１は、本発明の風船ホルダー１の斜視図で、本体部２と口環押圧部３とは本体軸棒部１０で係合し、図１の状態では、係止具５の係止鉤７が、口環押圧部３の内面に凹状になっている係止鉤掛溝８から外れ、本体部２と口環押圧部３とは離れている状態を示している。図２は、口環掛用軸棒部４と口環２２と風船玩具２３の関連図であり、口環掛用軸棒部４がｂ→ｂ′と移動して口環２２に入り、口環２２がｃ→ｃ′と移動して風船玩具２８に入り込む図であるが、実際には、口環２２と風船玩具２３とは先行技術であり、口環２２は、風船玩具２３に填め込まれているケースが多い。図３は、図１Ａ−Ａの断面図であり、本体部２と口環押圧部３とは、係止具５の係止鉤７が係止鉤掛溝８に掛かり、本体側軸棒取付部１９に軸棒側取付部１６が填め込まれて密着し、本体軸棒部１０と口環掛用軸棒部４とが接合しており、本体部２と口環押圧部３と口環掛用軸棒部４の３装置が一体となっている状態を示している。【００２５】  風船ホルダー１の本体部２から、口環押圧部３を強く押し出す目的のために、弾性体９を本体部脱落防止板１８と摺動安定板２０との間に挿入されている。口環掛用軸棒部４は、本体部軸棒１０の延長上にあり、本体軸棒部１０を延長することにより、口環掛用軸棒部４を使用しなくても風船を飛ばすという目的を達することができるが、口環２２の内径が製造メーカーにより異なる場合もあり、口環掛用軸棒部４を外径の異なるものと交換できるようになっており、また、本体側軸棒取付部１９及び軸棒側取付部１６をネジ込みにより結合することにより、交換には簡便である。更に、口環２２の内径が僅かに異なる場合があるため、図２の口環掛用軸棒部４の箇所において、口環掛用軸棒部４の勾配をｒで示している部分では、材質にもよるが、３／１００乃至５／１００程度を目途に先端に向かって細くしている。係止具押釦６について、係止具押釦６を押すことにより、係止鉤掛溝８から係止鉤７が離れることは前述のとおりである。更に、電源開閉器１４の釦を押すと照明具１５が点灯するが、マスコット１１、または、口環掛用軸棒部４が点灯し夜間の落とし物の探索や、鍵穴等の照明に役立てることができる。図４は、風船玩具２３に気体を注入し、後に飛ばすために使用するもので、図２に示す電装装置１２を抜き取り、気体注入装置２５から継手２６を経て接続管２７に繋がり、接続管２７は、マスコット１１を取り外した位置に填め込む図である。図５は、手押式風船ホルダー１０１であり、本体部１０２に口環押圧部１０３が係止具１１２により掛け止めされ、口環押圧部押板１１６を５度程回転すると口環押圧部１０３は、本体部１０２から離れ、口環押圧部押板１１６を指により押すと口環押圧部１０３が口環１２２及び風船玩具１２３を押し出すものである。尚、口環押圧部１０３及び口環押圧部押板１１６は、押し出された際に本体部１０２及び口環掛用軸棒部１０４から抜け落ちるのを防ぐため、口環押圧部ピンスライド溝１１８と口環押圧部脱落防止ピン１１７により、脱落を防止している。更に、小型の照明やペンライトを兼ねるため、電源１１３に電源開閉器１１４を経て照��具１１５に接続されている。
【図面の簡単な説明】
【００２６】
【図１】風船ホルダーの本体部と口環押圧部とが係止鉤から外れた状態の斜視図。
【図２】口環掛用軸棒部と口環と風船玩具との関連を示す斜視図。
【図３】本体部と口環押圧部と口環掛用軸棒部が係止している状態の断面図。
【図４】気体注入器が継手と接続管を経て本体部に接続された場合の断面図。
【図５】手押式風船ホルダーの断面図。
【符号の説明】
【００２７】  １．風船ホルダー
２．本体部
３．口環押圧部
４．口環掛用軸棒部
５．係止具
６．係止具押釦
７．係止鉤
８．係止鉤掛溝
９．弾性体
１０．本体軸棒部
１１．マスコット
１２．電装装置
１３．電源
１４．電源開閉器
１５．照明具
１６．軸棒側取付部
１７．口環押圧部脱落防止板
１８．本体部脱落防止板
１９．本体側軸棒取付部
２０．摺動安定板
２１．気体漏洩防止装置
２２．口環
２３．風船玩具
２４．紐掛環
２５．気体注入装置
２６．継手
２７．接続管
１０１．手押式風船ホルダー
１０２．本体部
１０３．口環押圧部
１０４．口環掛用軸棒部
１１１．マスコット
１１２．係止具
１１３．電源
１１４．電源開閉器
１１５．照明具
１１６．口環押圧部押板
１１７．口環押圧部脱落防止ピン
１１８．口環押圧部ピンスライド溝
１１９．軸棒取付部
１２２．口環
１２３．風船玩具
１２４．紐掛環
【図１】
2006006906.tif 000003
【図２】
2006006906.tif 000004
【図３】
2006006906.tif 000005
【図４】
2006006906.tif 000006
【図５】
2006006906.tif 000007